(57)【要約】【課題】複数のユーザで情報共有するための共有スペースを提供するシステムにおいて、共有スペースに対するアクセスを特定ユーザに限定する認証処理を実現すると共に、ユーザによる操作負担を軽減する。【解決手段】第２通信端末５に送信されユーザに表示されたトークンをユーザが発話し、その発話音声が第１通信端末３を介して共有スペース提供サーバ１に送信される。共有スペース提供サーバ１では、発行したトークンが第２通信端末５の識別子と対応付けられて記憶されているので、発話音声から抽出した文字列が記憶されたトークンと一致するか否かを判定することにより、第２通信端末５にアクセス権を設定できる。従って、共有スペースに対するアクセスを第１通信端末３と音声通話中の第２通信端末５に限定できると共に、第２通信端末５のユーザは、通話状態のままの発話動作により認証処理の操作を完了できる。【選択図】図１
2011090572.tif 000002
【特許請求の範囲】
【請求項１】
複数の通信端末に情報の共有をさせるために、複数の通信端末からのアクセスが可能な記憶領域である共有スペースを提供する共有スペース提供サーバ、並びに互いに音声通信可能に接続された第１通信端末及び第２通信端末を含む共有スペース管理システムであって、
前記第２通信端末は、
任意の文字列からなるトークンの発行要求であり、前記第２通信端末を識別する識別子を含むトークン発行要求を前記共有スペース提供サーバに送信するトークン発行要求送信手段と、
前記トークン発行要求送信手段により送信された前記トークン発行要求に応じて前記共有スペース提供サーバから返信された前記トークンを受信するトークン受信手段と、
前記トークン受信手段により受信された前記トークンを前記第２通信端末のユーザに提示するために、該トークンを表示するトークン表示手段と、
前記トークン表示手段に前記トークンが表示された後に、前記第２通信端末のユーザにより発話された音声であるユーザ発話音声を取得する発話音声取得手段と、
前記発話音声取得手段により取得された前記ユーザ発話音声を前記第１通信端末に送信する発話音声送信手段とを備え、
前記第１通信端末は、
前記第２通信端末から送信された前記ユーザ発話音声を受信する受話音声受信手段と、
前記第２通信端末に対するアクセス権の設定の可否を判定するための情報であって、前記受話音声受信手段により受信された前記ユーザ発話音声に基づく情報であるユーザ発話音声情報を前記共有スペース提供サーバに送信する受話音声情報送信手段とを備え、
前記共有スペース提供サーバは、
前記第２通信端末からの前記トークン発行要求を受け付けるトークン発行要求受付手段と、
前記トークン発行要求に応じて発行された前記トークンを、前記トークン発行要求の送信元の識別子に対応付けて記憶する発行トークン記憶手段と、
前記トークン発行要求受付手段により受け付けられた前記トークン発行要求に応じて前記トークンを生成すると共に、生成した前記トークンを前記第２通信端末の識別子に対応付けて前記発行トークン記憶手段に記憶させるトークン発行手段と、
前記トークン発行手段により生成された前記トークンを前記第２通信端末に送信するトークン送信手段と、
前記第１通信端末の前記受話音声情報送信手段から送信された前記ユーザ発話音声情報を取得する受話音声情報取得手段と、
前記受話音声情報取得手段により取得された前記ユーザ発話音声情報に含まれる文字列の情報が、前記発行トークン記憶手段に記憶されている前記トークンと一致する場合に、前記第２通信端末に対するアクセス権の設定を許可するトークン判定手段と、
前記共有スペースに対するアクセス権が設定されている通信端末の識別子を、当該共有スペースの識別子に対応付けて記憶している共有スペース情報記憶手段と、
前記トークン判定手段により、前記第２通信端末に対するアクセス権の設定が許可された場合に、前記第２通信端末の識別子を前記共有スペースの識別子に対応付けて前記共有スペース情報記憶手段に登録するアクセス権設定手段とを備える
ことを特徴とする共有スペース管理システム。
【請求項２】
前記共有スペース提供サーバは、音声認識手段を更に備え、
前記第１通信端末の前記受話音声情報送信手段は、前記ユーザ発話音声を前記ユーザ発話音声情報として前記共有スペース提供サーバに送信し、
前記共有スペース提供サーバの前記受話音声情報取得手段は、前記受話音声情報送信手段から送信された前記ユーザ発話音声を取得し、
前記共有スペース提供サーバの前記音声認識手段は、音声認識処理により前記ユーザ発話音声をテキスト情報に変換し、
前記共有スペース提供サーバの前記トークン判定手段は、前記音声認識手段により変換された前記テキスト情報に含まれる文字列が、前記発行トークン記憶手段に記憶されている前記トークンと一致する場合に、前記第２通信端末に対するアクセス権の設定を許可する
ことを特徴とする請求項１に記載の共有スペース管理システム。
【請求項３】
前記第１通信端末は、前記受話音声受信手段により受信された前記ユーザ発話音声を、音声認識処理によりテキスト情報に変換する音声認識手段を備え、
前記第１通信端末の前記受話音声情報送信手段は、前記音声認識手段により変換された前記テキスト情報を前記ユーザ発話音声情報として前記共有スペース提供サーバに送信し、
前記共有スペース提供サーバの前記受話音声情報取得手段は、前記第１通信端末の前記受話音声情報送信手段により送信された前記テキスト情報をユーザ発話音声情報として取得し、
前記共有スペース提供サーバの前記トークン判定手段は、前記受話音声情報取得手段により取得された前記テキスト情報に含まれる文字列が、前記発行トークン記憶手段に記憶されている前記トークンと一致する場合に、前記第２通信端末に対するアクセス権の設定を許可する
ことを特徴とする請求項１に記載の共有スペース管理システム。
【請求項４】
前記第１通信端末は、共有スペース作成要求送信手段と、宛先情報転送手段とを更に備え、
前記共有スペース提供サーバは、共有スペース作成要求受付手段と、共有スペース作成手段と、宛先情報送信手段とを更に備え、
前記第２通信端末は、宛先情報受信手段を更に備え、
前記第１通信端末の前記共有スペース作成要求送信手段は、前記共有スペース提供サーバに共有スペース作成要求を送信し、
前記共有スペース提供サーバの前記共有スペース作成要求受付手段は、前記共有スペース作成要求送信手段から送信された共有スペース作成要求を受信し、
前記共有スペース提供サーバの前記共有スペース作成手段は、前記共有スペース作成要求受付手段により受け付けられた前記共有スペース作成要求に応じて、前記共有スペース提供サーバがアクセス可能な所定の記憶手段に前記共有スペースを作成し、
前記共有スペース提供サーバの前記宛先情報送信手段は、前記共有スペース作成要求に応じて、前記第２通信端末からの前記トークン発行要求の送信先のネットワーク上の場所を示す情報である宛先情報を生成し、生成した該宛先情報を前記第１通信端末に送信し、
前記第１通信端末の前記宛先情報転送手段は、前記共有スペース提供サーバの前記宛先情報送信手段から送信された前記宛先情報を受信すると共に、前記第２通信端末に送信し、
前記第２通信端末の前記宛先情報受信手段は、前記第１通信端末の前記宛先情報転送手段から送信された前記宛先情報を受信し、
前記第２通信端末の前記トークン発行要求手段は、前記宛先情報受信手段により受信された前記宛先情報に示されるネットワーク上の場所に対して、前記トークン発行要求を送信する
ことを特徴とする請求項１〜３のいずれか１項に記載の共有スペース管理システム。
【請求項５】
前記第１通信端末は、
前記受話音声受信手段を含む第１音声通話端末と、前記受話音声情報送信手段を含む第１情報端末とから構成され、
前記第１音声通話端末は、
前記受話音声受信手段により受信された前記ユーザ発話音声を前記第１情報端末に送信する通話端末音声送信手段を更に備え、
前記第１情報端末は、
前記通話端末音声送信手段から送信された前記ユーザ発話音声を前記ユーザ発話音声情報として受信する通話端末音声受信手段を更に備える
ことを特徴とする請求項１〜４のいずれか１項に記載の共有スペース管理システム。
【請求項６】
前記第２通信端末は、
前記発話音声取得手段及び前記発話音声送信手段を含む第２音声通話端末と、前記トークン発行要求送信手段、前記トークン受信手段及び前記トークン表示手段を含む第２情報端末とから構成される
ことを特徴とする請求項１〜５のいずれか１項に記載の共有スペース管理システム。
【請求項７】
複数の通信端末に情報の共有をさせるために、複数の通信端末からのアクセスが可能な記憶領域である共有スペースを提供する共有スペース提供サーバ、並びに音声通信可能に接続された第１通信端末及び第２通信端末を含む共有スペース管理システムにおける共有スペース管理方法であって、
前記第２通信端末が、任意の文字列からなるトークンの発行要求であり、前記第２通信端末を識別する識別子を含むトークン発行要求を前記共有スペース提供サーバに送信するトークン発行要求送信ステップと、
前記共有スペース提供サーバが、前記トークン発行要求送信ステップにおいて送信された前記トークン発行要求を受け付けるトークン発行要求受付ステップと、
前記共有スペース提供サーバが、前記トークン発行要求受付ステップにおいて受け付けられた前記トークン発行要求に応じて前記トークンを生成すると共に、発行された前記トークンを記憶させるための発行トークン記憶手段に、生成した前記トークンを前記トークン発行要求の送信元の識別子に対応付けて記憶させるトークン発行ステップと、
前記共有スペース提供サーバが、前記トークン発行ステップにおいて生成された前記トークンを前記第２通信端末に送信するトークン送信ステップと、
前記第２通信端末が、前記トークン送信ステップにおいて送信された前記トークンを受信するトークン受信ステップと、
前記第２通信端末が、前記トークン受信ステップにおいて受信された前記トークンを前記第２通信端末のユーザに提示するために、該トークンを表示するトークン表示ステップと、
前記トークン表示ステップにおいて前記トークンが表示された後に、前記第２通信端末のユーザにより発話された音声であるユーザ発話音声を取得する発話音声取得ステップと、
前記第２通信端末が、前記発話音声取得ステップにおいて取得された前記ユーザ発話音声を前記第１通信端末に送信する発話音声送信ステップと、
前記第１通信端末が、前記第２通信端末から送信された前記ユーザ発話音声を受信する受話音声受信ステップと、
前記第１通信端末が、
前記第２通信端末に対するアクセス権の設定の可否を判定するための情報であって、前記受話音声受信手段により受信された前記ユーザ発話音声に基づく情報であるユーザ発話音声情報を前記共有スペース提供サーバに送信する受話音声情報送信ステップと、
前記共有スペース提供サーバが、前記受話音声情報送信ステップにおいて送信された前記ユーザ発話音声情報を取得する受話音声情報取得ステップと、
前記共有スペース提供サーバが、前記受話音声情報取得ステップにおいて取得された前記ユーザ発話音声情報に含まれる文字列の情報が、前記発行トークン記憶手段に記憶されている前記トークンと一致する場合に、前記第２通信端末に対するアクセス権の設定を許可するトークン判定ステップと、
前記共有スペース提供サーバが、前記トークン判定ステップにおいて前記第２通信端末に対するアクセス権の設定が許可された場合に、前記共有スペースに対するアクセス権が設定されている通信端末の識別子を当該共有スペースの識別子に対応付けて記憶している共有スペース情報記憶手段に、前記第２通信端末の識別子を前記共有スペースの識別子に対応付けて登録するアクセス権設定ステップと
を有することを特徴とする共有スペース管理方法。
【請求項８】
互いに音声通信可能に接続された第１通信端末及び第２通信端末を含む共有スペース管理システムにおいて、複数の通信端末に情報の共有をさせるために、複数の通信端末からのアクセスが可能な記憶領域である共有スペースを提供する共有スペース提供サーバであって、
前記第２通信端末からの前記トークン発行要求を受け付けるトークン発行要求受付手段と、
前記トークン発行要求に応じて発行された前記トークンを、前記トークン発行要求の送信元の識別子に対応付けて記憶する発行トークン記憶手段と、
前記トークン発行要求受付手段により受け付けられた前記トークン発行要求に応じて前記トークンを生成すると共に、生成した前記トークンを前記第２通信端末の識別子に対応付けて前記発行トークン記憶手段に記憶させるトークン発行手段と、
前記トークン発行手段により生成された前記トークンを前記第２通信端末に送信するトークン送信手段と、
前記トークン送信手段により送信された前記トークンが前記第２通信端末において表示された後に前記第２通信端末のユーザにより発話された音声であって、該第２通信端末により取得された後に該第２通信端末から前記第１通信端末に送信された音声であるユーザ発話音声に基づく情報であるユーザ発話音声情報を、該第１通信端末から取得する受話音声情報取得手段と、
前記受話音声情報取得手段により取得された前記ユーザ発話音声情報に含まれる文字列の情報が、前記発行トークン記憶手段に記憶されている前記トークンと一致する場合に、前記第２通信端末に対するアクセス権の設定を許可するトークン判定手段と、
前記共有スペースに対するアクセス権が設定されている通信端末の識別子を、当該共有スペースの識別子に対応付けて記憶している共有スペース情報記憶手段と、
前記トークン判定手段により、前記第２通信端末に対するアクセス権の設定が許可された場合に、前記第２通信端末の識別子を前記共有スペースの識別子に対応付けて前記共有スペース情報記憶手段に登録するアクセス権設定手段と
を備えることを特徴とする共有スペース提供サーバ。
【発明の詳細な説明】
【技術分野】
【０００１】
本発明は、複数の通信端末に情報の共有をさせるために、複数の通信端末からのアクセスが可能な記憶領域である共有スペースを提供する共有スペース管理システム、共有スペース管理方法及び共有スペース提供サーバに関する。
【背景技術】
【０００２】
従来より、複数の限定されたユーザに対して、テキストデータ及び画像データといった情報を共有する掲示板やグループ向けの情報共有サイト等の共有スペースを提供するサービスが行われている（例えば、非特許文献１参照）。このようなサービスでは、まず、管理者となるユーザがサイト上に掲示板等の共有スペースを開設するための開設処理を行う。そして、管理者は、その共有スペースに他のユーザがアクセスするためのアカウントとしてＩＤ及びパスワードを作成し、共有スペースにアクセスするためのＵＲＬ等の情報と共に他のユーザに通知する。各ユーザは、通知されたＵＲＬ等の情報に基づき共有スペースにアクセスし、ＩＤ及びパスワードを入力する認証処理を行うことにより、共有スペース上の情報を得ることが可能となる。また、特許文献１には、複数の通信端末の通信を中継する中継装置を構成するサーバに、通信端末装置のそれぞれがアクセスし、通信を行うための認証処理を行うことが記載されている。
【先行技術文献】
【特許文献】
【０００３】
【特許文献１】特開２００９−７７１３２号公報
【非特許文献】
【０００４】
【非特許文献１】“Ｙａｈｏｏ！グループ”、［online］、ヤフー株式会社、［２００９年１０月９日検索］、インターネット〈URL：http://groups.yahoo.co.jp/〉
【発明の概要】
【発明が解決しようとする課題】
【０００５】
しかしながら、共有スペースを他のユーザに提供するためのＩＤ及びパスワードを設定し、他のユーザに通知するといった処理は、管理者にとって負担が大きいものであった。また、他のユーザが共有スペースにアクセスした後、通知されたＩＤ及びパスワードを入力する認証処理も、他のユーザにとって操作が煩雑であり、負担が大きいものであった。また、携帯電話といった音声通信端末による音声通話中に、通話中のユーザ間で情報の共有を行うために共有スペースを開設するといった場合には、ユーザの手は携帯電話の保持に使われているため、上記のような認証処理は、ユーザにとって大きな負担となる。さらに、音声通話中の情報共有のために、例えば数十分程度の短時間だけ共有スペースを開設したいといったニーズもあり、かかる場合には、ユーザに与える認証処理の負担感は一層大きいものとなる。
【０００６】
そこで、本発明は、上記問題点に鑑みてなされたものであり、情報を複数のユーザの端末間で共有するための共有スペースを提供するシステムにおいて、共有スペースに対するアクセスを管理者により決定された特定ユーザに限定する認証処理を実現すると共に、認証処理のためのユーザによる操作の負担を軽減する共有スペース管理システム、共有スペース管理方法及び共有スペース提供サーバを提供することを目的とする。
【課題を解決するための手段】
【０００７】
上記課題を解決するために、本発明の共有スペース管理システムは、複数の通信端末に情報の共有をさせるために、複数の通信端末からのアクセスが可能な記憶領域である共有スペースを提供する共有スペース提供サーバ、並びに互いに音声通信可能に接続された第１通信端末及び第２通信端末を含む共有スペース管理システムであって、第２通信端末は、任意の文字列からなるトークンの発行要求であり、第２通信端末を識別する識別子を含むトークン発行要求を共有スペース提供サーバに送信するトークン発行要求送信手段と、トークン発行要求送信手段により送信されたトークン発行要求に応じて共有スペース提供サーバから返信されたトークンを受信するトークン受信手段と、トークン受信手段により受信されたトークンを第２通信端末のユーザに提示するために、該トークンを表示するトークン表示手段と、トークン表示手段にトークンが表示された後に、第２通信端末のユーザにより発話された音声であるユーザ発話音声を取得する発話音声取得手段と、発話音声取得手段により取得されたユーザ発話音声を第１通信端末に送信する発話音声送信手段とを備え、第１通信端末は、第２通信端末から送信されたユーザ発話音声を受信する受話音声受信手段と、第２通信端末に対するアクセス権の設定の可否を判定するための情報であって、受話音声受信手段により受信されたユーザ発話音声に基づく情報であるユーザ発話音声情報を共有スペース提供サーバに送信する受話音声情報送信手段とを備え、共有スペース提供サーバは、第２通信端末からのトークン発行要求を受け付けるトークン発行要求受付手段と、トークン発行要求に応じて発行されたトークンを、トークン発行要求の送信元の識別子に対応付けて記憶する発行トークン記憶手段と、トークン発行要求受付手段により受け付けられたトークン発行要求に応じてトークンを生成すると共に、生成したトークンを第２通信端末の識別子に対応付けて発行トークン記憶手段に記憶させるトークン発行手段と、トークン発行手段により生成されたトークンを第２通信端末に送信するトークン送信手段と、第１通信端末の受話音声情報送信手段から送信されたユーザ発話音声情報を取得する受話音声情報取得手段と、受話音声情報取得手段により取得されたユーザ発話音声情報に含まれる文字列の情報が、発行トークン記憶手段に記憶されているトークンと一致する場合に、第２通信端末に対するアクセス権の設定を許可するトークン判定手段と、共有スペースに対するアクセス権が設定されている通信端末の識別子を、当該共有スペースの識別子に対応付けて記憶している共有スペース情報記憶手段と、トークン判定手段により、第２通信端末に対するアクセス権の設定が許可された場合に、第２通信端末の識別子を共有スペースの識別子に対応付けて共有スペース情報記憶手段に登録するアクセス権設定手段とを備えることを特徴とする。
【０００８】
また、上記課題を解決するために、本発明の共有スペース管理方法は、複数の通信端末に情報の共有をさせるために、複数の通信端末からのアクセスが可能な記憶領域である共有スペースを提供する共有スペース提供サーバ、並びに音声通信可能に接続された第１通信端末及び第２通信端末を含む共有スペース管理システムにおける共有スペース管理方法であって、第２通信端末が、任意の文字列からなるトークンの発行要求であり、第２通信端末を識別する識別子を含むトークン発行要求を共有スペース提供サーバに送信するトークン発行要求送信ステップと、共有スペース提供サーバが、トークン発行要求送信ステップにおいて送信されたトークン発行要求を受け付けるトークン発行要求受付ステップと、共有スペース提供サーバが、トークン発行要求受付ステップにおいて受け付けられたトークン発行要求に応じてトークンを生成すると共に、発行されたトークンを記憶させるための発行トークン記憶手段に、生成したトークンをトークン発行要求の送信元の識別子に対応付けて記憶させるトークン発行ステップと、共有スペース提供サーバが、トークン発行ステップにおいて生成されたトークンを第２通信端末に送信するトークン送信ステップと、第２通信端末が、トークン送信ステップにおいて送信されたトークンを受信するトークン受信ステップと、第２通信端末が、トークン受信ステップにおいて受信されたトークンを第２通信端末のユーザに提示するために、該トークンを表示するトークン表示ステップと、トークン表示ステップにおいてトークンが表示された後に、第２通信端末のユーザにより発話された音声であるユーザ発話音声を取得する発話音声取得ステップと、第２通信端末が、発話音声取得ステップにおいて取得されたユーザ発話音声を第１通信端末に送信する発話音声送信ステップと、第１通信端末が、第２通信端末から送信されたユーザ発話音声を受信する受話音声受信ステップと、第１通信端末が、第２通信端末に対するアクセス権の設定の可否を判定するための情報であって、受話音声受信手段により受信されたユーザ発話音声に基づく情報であるユーザ発話音声情報を共有スペース提供サーバに送信する受話音声情報送信ステップと、共有スペース提供サーバが、受話音声情報送信ステップにおいて送信されたユーザ発話音声情報を取得する受話音声情報取得ステップと、共有スペース提供サーバが、受話音声情報取得ステップにおいて取得されたユーザ発話音声情報に含まれる文字列の情報が、発行トークン記憶手段に記憶されているトークンと一致する場合に、第２通信端末に対するアクセス権の設定を許可するトークン判定ステップと、共有スペース提供サーバが、トークン判定ステップにおいて第２通信端末に対するアクセス権の設定が許可された場合に、共有スペースに対するアクセス権が設定されている通信端末の識別子を当該共有スペースの識別子に対応付けて記憶している共有スペース情報記憶手段に、第２通信端末の識別子を共有スペースの識別子に対応付けて登録するアクセス権設定ステップとを有することを特徴とする。
【０００９】
また、上記課題を解決するために、本発明の共有スペース提供サーバは、互いに音声通信可能に接続された第１通信端末及び第２通信端末を含む共有スペース管理システムにおいて、複数の通信端末に情報の共有をさせるために、複数の通信端末からのアクセスが可能な記憶領域である共有スペースを提供する共有スペース提供サーバであって、第２通信端末からのトークン発行要求を受け付けるトークン発行要求受付手段と、トークン発行要求に応じて発行されたトークンを、トークン発行要求の送信元の識別子に対応付けて記憶する発行トークン記憶手段と、トークン発行要求受付手段により受け付けられたトークン発行要求に応じてトークンを生成すると共に、生成したトークンを第２通信端末の識別子に対応付けて発行トークン記憶手段に記憶させるトークン発行手段と、トークン発行手段により生成されたトークンを第２通信端末に送信するトークン送信手段と、トークン送信手段により送信されたトークンが第２通信端末において表示された後に第２通信端末のユーザにより発話された音声であって、該第２通信端末により取得された後に該第２通信端末から第１通信端末に送信された音声であるユーザ発話音声に基づく情報であるユーザ発話音声情報を、該第１通信端末から取得する受話音声情報取得手段と、受話音声情報取得手段により取得されたユーザ発話音声情報に含まれる文字列の情報が、発行トークン記憶手段に記憶されているトークンと一致する場合に、第２通信端末に対するアクセス権の設定を許可するトークン判定手段と、共有スペースに対するアクセス権が設定されている通信端末の識別子を、当該共有スペースの識別子に対応付けて記憶している共有スペース情報記憶手段と、トークン判定手段により、第２通信端末に対するアクセス権の設定が許可された場合に、第２通信端末の識別子を共有スペースの識別子に対応付けて共有スペース情報記憶手段に登録するアクセス権設定手段とを備えることを特徴とする。
【００１０】
本発明の共有スペース管理システム、共有スペース管理方法及び共有スペース提供サーバによれば、共有スペース提供サーバにより生成された、認証処理に用いられるトークンは、第２通信端末に送信され、ユーザに対して表示される。第２通信端末のユーザにより発話されたトークンの文字列がユーザ発話音声として第２通信端末に取得されると、ユーザ発話音声は、第１通信端末を経由して共有スペース提供サーバに取得される。共有スペース提供サーバでは、発行したトークンが発行要求の送信元である第２通信端末の識別子と対応付けられて記憶されているので、ユーザ発話音声から抽出した文字列が、記憶されたトークンと一致するか否かを判定することにより、当該トークンに対応付けられた識別子に示される第２通信端末に、共有スペースに対するアクセス権を設定することが可能となる。従って、かかる認証処理により、共有スペースに対するアクセスを第１通信端末と音声通話中の第２通信端末に限定することができる。また、第２通信端末のユーザは、手を使った操作ではなく、第１通信端末との通話状態を維持したままの発話動作により認証処理のための操作を完了させることができる。従って、ユーザの操作負担が軽減される。
【００１１】
また、本発明の共有スペース管理システムでは、共有スペース提供サーバは、音声認識手段を更に備え、第１通信端末の受話音声情報送信手段は、ユーザ発話音声をユーザ発話音声情報として共有スペース提供サーバに送信し、共有スペース提供サーバの受話音声情報取得手段は、受話音声情報送信手段から送信されたユーザ発話音声を取得し、共有スペース提供サーバの音声認識手段は、音声認識処理によりユーザ発話音声をテキスト情報に変換し、共有スペース提供サーバのトークン判定手段は、音声認識手段により変換されたテキスト情報に含まれる文字列が、発行トークン記憶手段に記憶されているトークンと一致する場合に、第２通信端末に対するアクセス権の設定を許可することを特徴とする。
【００１２】
この場合には、ユーザ発話音声からテキスト情報への変換処理が共有スペース提供サーバにより行われるので、第１通信端末は特段の音声認識機能を有する必要がない。従って、第１通信端末の処理負荷が軽減される。
【００１３】
また、本発明の共有スペース管理システムでは、第１通信端末は、受話音声受信手段により受信されたユーザ発話音声を、音声認識処理によりテキスト情報に変換する音声認識手段を備え、第１通信端末の受話音声情報送信手段は、音声認識手段により変換されたテキスト情報をユーザ発話音声情報として共有スペース提供サーバに送信し、共有スペース提供サーバの受話音声情報取得手段は、第１通信端末の受話音声情報送信手段から送信されたテキスト情報をユーザ発話音声情報として取得し、共有スペース提供サーバのトークン判定手段は、受話音声情報取得手段により取得されたテキスト情報に含まれる文字列が、発行トークン記憶手段に記憶されているトークンと一致する場合に、第２通信端末に対するアクセス権の設定を許可することとしてもよい。
【００１４】
この場合には、第１通信端末においてユーザ発話音声がテキスト情報に変換され、変換されたテキスト情報が共有スペース提供サーバに送信されるので、第１通信端末と共有スペース提供サーバとの間の通信負荷が軽減される。
【００１５】
また、本発明の共有スペース管理システムでは、第１通信端末は、共有スペース作成要求送信手段と、宛先情報転送手段とを更に備え、共有スペース提供サーバは、共有スペース作成要求受付手段と、共有スペース作成手段と、宛先情報送信手段とを更に備え、第２通信端末は、宛先情報受信手段を更に備え、第１通信端末の共有スペース作成要求送信手段は、共有スペース提供サーバに共有スペース作成要求を送信し、共有スペース提供サーバの共有スペース作成要求受付手段は、共有スペース作成要求送信手段から送信された共有スペース作成要求を受信し、共有スペース提供サーバの共有スペース作成手段は、共有スペース作成要求受付手段により受け付けられた共有スペース作成要求に応じて、共有スペース提供サーバがアクセス可能な所定の記憶手段に共有スペースを作成し、共有スペース提供サーバの宛先情報送信手段は、共有スペース作成要求に応じて、第２通信端末からのトークン発行要求の送信先のネットワーク上の場所を示す情報である宛先情報を生成し、生成した該宛先情報を第１通信端末に送信し、第１通信端末の宛先情報転送手段は、共有スペース提供サーバの宛先情報送信手段から送信された宛先情報を受信すると共に、第２通信端末に送信し、第２通信端末の宛先情報受信手段は、第１通信端末の宛先情報転送手段から送信された宛先情報を受信し、第２通信端末のトークン発行要求手段は、宛先情報受信手段により受信された宛先情報に示されるネットワーク上の場所に対して、トークン発行要求を送信することを特徴とする。
【００１６】
この場合には、第１通信端末からの共有スペース作成要求に応じて、共有スペース提供サーバにより共有スペースが作成されると共に、前記トークン発行要求の送信先のネットワーク上の場所を示す情報である宛先情報が共有スペース提供サーバにより生成され、生成された宛先情報が第１通信端末を介して第２通信端末に送信されるので、第２通信端末は確実にトークン発行要求を送信することができる。
【００１７】
また、本発明の共有スペース管理システムでは、第１通信端末は、受話音声受信手段を含む第１音声通話端末と、受話音声情報送信手段を含む第１情報端末とから構成され、第１音声通話端末は、受話音声受信手段により受信されたユーザ発話音声を第１情報端末に送信する通話端末音声送信手段を更に備え、第１情報端末は、通話端末音声送信手段から送信されたユーザ発話音声をユーザ発話音声情報として受信する通話端末音声受信手段を更に備えることが好ましい。
【００１８】
この場合には、通常の携帯電話に例示されるような、一般的な音声通話機能と簡易なデータ通信機能を備えた第１音声通話端末と、通常のパーソナルコンピュータに例示されるような、ネットワークを介した通信機能を備えた第１情報端末とにより第１通信端末が構成されるので、本システムを容易に構成することが可能となる。
【００１９】
また、本発明の共有スペース管理システムでは、第２通信端末は、発話音声取得手段及び発話音声送信手段を含む第２音声通話端末と、トークン発行要求送信手段、トークン受信手段及びトークン表示手段を含む第２情報端末とから構成されることが好ましい。
【００２０】
この場合には、通常の携帯電話に例示されるような、一般的な音声通話機能を備えた第２音声通話端末と、通常のパーソナルコンピュータに例示されるような、ネットワークを介した通信機能を備えた第２情報端末とにより第２通信端末が構成されるので、本システムを容易に構成することが可能となる。
【発明の効果】
【００２１】
本発明の共有スペース管理システム、共有スペース管理方法及び共有スペース提供サーバによれば、情報を複数のユーザの端末間で共有するための共有スペースを提供するシステムにおいて、共有スペースに対するアクセスを管理者により決定された特定ユーザに限定する認証処理を実現すると共に、認証処理のためのユーザによる操作の負担を軽減することが可能となる。
【図面の簡単な説明】
【００２２】
【図１】共有スペース管理システムの構成図である。
【図２】第１実施形態における共有スペース提供サーバの機能的構成を示すブロック図である。
【図３】共有スペース提供サーバのハードブロック図である。
【図４】発行トークン記憶部の構成及び内容の一例を示す図である。
【図５】共有スペース情報記憶部の構成及び内容の一例を示す図である。
【図６】第１実施形態における第１通信端末及び第２通信端末の機能的構成を示すブロック図である。
【図７】共有スペース管理システムにおいて実施される処理内容を示すフローチャートである。
【図８】共有スペース作成処理の処理内容を示すフローチャートである。
【図９】共有スペースに対するアクセスが行われたときの共有スペース提供サーバにおける処理内容を示すフローチャートである。
【図１０】第２実施形態における共有スペース提供サーバの機能的構成を示すブロック図である。
【図１１】第２実施形態における第１通信端末の機能的構成を示すブロック図である。
【図１２】第２実施形態の共有スペース管理システムにおいて実施される処理内容を示すフローチャートである。
【図１３】第３実施形態における第１通信端末及び第２通信端末の機能的構成を示すブロック図である。
【図１４】第４実施形態における共有スペース提供サーバの機能的構成を示すブロック図である。
【図１５】第４実施形態における第１通信端末及び第２通信端末の機能的構成を示すブロック図である。
【図１６】宛先情報の例を示す図である。
【発明を実施するための形態】
【００２３】
本発明に係る共有スペース管理システムの実施形態について図面を参照して説明する。なお、可能な場合には、同一の部分には同一の符号を付して、重複する説明を省略する。
【００２４】
（第１実施形態）
図１は、第１実施形態に係る共有スペース管理システム１００の構成を示す図である。図１に示すように、共有スペース管理システム１００は、共有スペース提供サーバ１、第１通信端末３及び第２通信端末５を含む。共有スペース管理システム１００は、複数の限定されたユーザに対して、テキストデータ及び画像データといった情報を共有する掲示板やグループ向けの情報共有サイト等の共有スペースを提供するためのシステムである。
【００２５】
本実施形態の共有スペース管理システム１００では、第１通信端末３と第２通信端末５との間で音声通話が行われているときにおいて、共有スペースにより何らかのデータの共有を所望する場合に、第１通信端末３のユーザが共有スペースの管理者となり共有スペースを開設し、共有スペースへのアクセス可能な端末が第１通信端末３及び第２通信端末５に限定されるように、第２通信端末５の認証及び共有スペースに対するアクセス権の設定をすることができる。
【００２６】
共有スペース提供サーバ１、第１通信端末３及び第２通信端末５は、ネットワークＮ１を介してデータの送受信可能に接続されている。また、第１通信端末３及び第２通信端末５は、音声通信網Ｎ２を介して音声通信可能に接続されている。音声通信網Ｎ２は、音声通信可能な回線であれば、いかなる回線にも限定されず、例えば、電話回線、移動体通信網、ＩＰ通信網といった回線に例示される。
【００２７】
次に、共有スペース提供サーバ１の機能について説明する。図２は、共有スペース提供サーバ１の機能的構成を示すブロック図である。共有スペース提供サーバ１は、複数の通信端末に情報の共有をさせるために、複数の通信端末からのアクセスが可能な記憶領域である共有スペースを提供する装置である。
【００２８】
図２に示すように、共有スペース提供サーバ１は、トークン発行要求受付部１０（トークン発行要求受付手段）、トークン発行部１１（トークン発行手段）、発行トークン記憶部１２（発行トークン記憶手段）トークン送信部１３（トークン送信手段）、受話音声情報取得部１４（受話音声情報取得手段）、音声認識部１５（音声認識手段）、トークン抽出部１６（トークン抽出手段）、トークン判定部１７（トークン判定手段）、アクセス権設定部１８（アクセス権設定手段）、共有スペース情報記憶部１９（共有スペース情報記憶手段）、共有スペース作成要求受付部２０（共有スペース作成要求受付手段）、共有スペース作成部２１（共有スペース作成手段）、共有スペース制御部２８及び共有スペース記憶部２９を備える。
【００２９】
図３は、共有スペース提供サーバ１のハードウエア構成図である。共有スペース提供サーバ１は、物理的には、図３に示すように、ＣＰＵ１０１、主記憶装置であるＲＡＭ１０２及びＲＯＭ１０３、ネットワークカード等のデータ送受信デバイスである通信モジュール１０４、ハードディスク、フラッシュメモリ等の補助記憶装置１０５、入力デバイスであるキーボード及びマウス等の入力装置１０６、ディスプレイ等の出力装置１０７などを含むコンピュータシステムとして構成されている。図２に示した各機能は、図３に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。再び、図２を参照し、共有スペース提供サーバ１の各機能部について詳細に説明する。
【００３０】
トークン発行要求受付部１０は、任意の文字列からなるトークンの発行要求であるトークン発行要求を第２通信端末５から受け付ける部分である。トークン発行要求は、第２通信端末５を識別する識別子を含む。この識別子は、例えば、ネットワーク上の第２通信端末５の場所を示すＩＰアドレスである。
【００３１】
トークン発行部１１は、トークン発行要求受付部１０により受け付けられたトークン発行要求に応じてトークンを生成する部分である。トークン発行部１１は、例えば、ランダムに抽出した複数の文字からトークンを生成することとしてもよいし、トークンとして用いるための文字列を予め記憶していることとしてもよい。また、トークン発行部１１は、生成したトークンを第２通信端末５の識別子に対応付けて発行トークン記憶部１２に記憶させる部分である。
【００３２】
発行トークン記憶部１２は、トークン発行要求に応じて生成・発行されたトークンを、トークン発行要求の送信元の識別子に対応付けて記憶する記憶手段である。図４は、発行トークン記憶部１２に記憶されているトークンの一例を示す図である。図４に示すように、発行トークン記憶部１２では、発行されたトークンを識別するＩＤに対応付けて、発行されたトークン、発行先ＩＰアドレス、及び発行時刻が記憶されている。発行先ＩＰアドレスは、トークン発行要求の送信元であると共に、当該トークンを発行する発行先の通信端末のＩＰアドレスである。また、発行時刻は、当該トークンを発行した時刻を示す情報である。
【００３３】
トークン送信部１３は、トークン発行部１１により生成されたトークンを第２通信端末５に送信する部分である。トークン発行要求には、例えばＩＰアドレスといった第２通信端末５の識別子が含まれているので、トークン送信部１３は、この識別子を宛先としてトークンを送信することができる。
【００３４】
受話音声情報取得部１４は、第１通信端末３から送信されたユーザ発話音声情報を取得する部分である。ユーザ発話音声情報は、第２通信端末５のユーザにより発話された音声であるユーザ発話音声に関する情報である。第１実施形態では、ユーザ発話音声情報は、第２通信端末５から第１通信端末３を介して送信されたユーザ発話音声である。ユーザ発話音声は、トークン表示部５２（図６参照）に表示されたトークンの文字列を見た第２通信端末５のユーザにより発話された音声である。即ち、ユーザ発話音声は、トークンの文字列が音声に変換されたものである。後述するように、ユーザ発話音声は、第２通信端末５により取得された後に、第１通信端末３に送信される。さらに、第１通信端末３に送信されたユーザ発話音声は、共有スペース提供サーバ１に送信される。
【００３５】
音声認識部１５は、受話音声情報取得部１４により取得されたユーザ発話音声を、音声認識処理によりテキスト情報に変換する部分である。ここで用いられる音声認識処理には、既存の音声認識技術を採用することができる。音声認識技術としては、例えば、汎用大語彙連続音声認識エンジンＪｕｌｉｕｓ（http://julius.sourceforge.jp/）といったものが存在する。
【００３６】
トークン抽出部１６は、音声認識部１５により得られたテキスト情報から、トークンに該当する部分のテキスト情報を抽出する部分である。なお、音声認識部１５における変換処理により得られたテキスト情報がトークンに該当する場合には、音声認識部１５により得られたテキスト情報は、トークン抽出部１６を介さずにトークン判定部１７に送出されることとしてもよい。
【００３７】
トークン判定部１７は、音声認識部１５により変換されたテキスト情報に含まれトークンに該当する文字列が、発行トークン記憶部１２に記憶されているトークンと一致する場合に、第２通信端末５に対するアクセス権の設定を許可する部分である。なお、トークン判定部１７は、テキスト情報の文字列と発行トークン記憶部１２に記憶されているトークンとが一致することに加えて、発行トークン記憶部１２に記憶されている当該トークンの発行時刻から予め定められた所定の有効期限を経過していないことを、アクセス権の設定の許可条件としてもよい。そして、トークン判定部１７は、アクセス権の設定可否に関する情報をアクセス権設定部１８及び共有スペース作成部２１に送出する。
【００３８】
アクセス権設定部１８は、トークン判定部１７により第２通信端末５に対するアクセス権の設定が許可された場合に、第２通信端末５の識別子を共有スペースの識別子に対応付けて共有スペース情報記憶部１９に登録する部分である。
【００３９】
共有スペース情報記憶部１９は、共有スペースに対するアクセス権が設定されている通信端末の識別子を、当該共有スペースの識別子に対応付けて記憶する記憶手段である。図５は、共有スペース情報記憶部１９の構成及び記憶されているデータの一例を示す図である。図５に示すように、レコードを識別するＩＤ毎に共有スペースＩＤ及び許可ＩＰアドレスが各々対応付けられて記憶されている。共有スペースＩＤは、共有スペースを識別する識別子である。許可ＩＰアドレスは、アクセス権が設定されている通信端末のＩＰアドレス（識別子）である。例えば、ＩＰアドレスが「１５２．１２９．２５５．ｘｘｘ」である通信端末には、識別子「７３６６」により特定される共有スペースに対するアクセス権が設定されている。
【００４０】
共有スペース作成要求受付部２０は、第１通信端末３の共有スペース作成要求送信部３４から送信された共有スペース作成要求を受信する部分である。
【００４１】
共有スペース作成部２１は、トークン判定部１７により第２通信端末５に対するアクセス権の設定が許可された場合に、共有スペース提供サーバ１がアクセス可能な記憶手段である共有スペース記憶部２９に共有スペースを作成する部分である。また、共有スペース作成部２１は、共有スペース作成要求受付部２０により受け付けられた共有スペース作成要求に応じて、共有スペース記憶部２９に共有スペースを作成することとしてもよい。
【００４２】
共有スペース制御部２８は、第１通信端末３及び第２通信端末５からの共有スペースに対するアクセスを受け付けて、データのリード及びライトといった共有スペースに対する操作を制御する部分である。通信端末から送信される共有スペースに対するアクセスには、アクセス対象の共有スペースの識別子、共有スペースに対する操作内容、及び送信元の通信端末のＩＰアドレスが含まれている。共有スペース制御部２８は、通信端末から共有スペースに対するアクセスを受け付けると、共有スペース情報記憶部１９を参照し、当該アクセスに含まれる共有スペースの識別子に、当該通信端末のＩＰアドレスが許可ＩＰアドレスとして対応付けられているか否かを判定することにより、当該共有スペースに対するアクセスの可否を判断する。
【００４３】
共有スペース記憶部２９は、共有スペースを開設するための記憶手段である。本実施形態では、共有スペース記憶部２９が共有スペース提供サーバ１の一機能部として備えられることとしているが、共有スペース提供サーバ１からアクセス可能であれば、共有スペース提供サーバ１の外部に設けられることとしてもよい。
【００４４】
続いて、第１通信端末３及び第２通信端末５の機能について説明する。第１通信端末３及び第２通信端末５は、例えば移動体通信網といったネットワークを介して音声通信が可能であると共に、例えばインターネットといったネットワークによるデータ通信が可能である端末装置であり、例えば携帯電話、移動端末といった装置に例示される。図６は、第１通信端末３及び第２通信端末５の機能的構成を示すブロック図である。
【００４５】
なお、第１通信端末３及び第２通信端末５も、コンピュータの一種であり、図３に示す共有スペース提供サーバ１と同様のハードウエア構成を備える。図６に示す第１通信端末３及び第２通信端末５の各機能は、図３に示すＣＰＵ１０１、ＲＡＭ１０２等のハードウエア上に所定のコンピュータソフトウェアを読み込ませることにより実現される。
【００４６】
図６に示すように、第１通信端末３は、受話音声受信部３０（受話音声受信手段）、受話音声情報送信部３１（受話音声情報送信手段）、発話音声取得部３２、発話音声送信部３３、共有スペース作成要求送信部３４（共有スペース作成要求送信手段）及び共有スペースアクセス部３５（共有スペースアクセス手段）を備える。
【００４７】
受話音声受信部３０は、第２通信端末５から送信されたユーザ発話音声を受信する部分である。なお、受話音声受信部３０は、ユーザ発話音声が発生しているときのみ音声を収集し、有意な音声が発生していないときには音声の収集を行わないことが好ましい。具体的には、受話音声受信部３０は、音声信号に対してフレーム処理を行い、フレームごとに例えばフーリエ解析といった処理を実施することにより音声特徴量を抽出し、抽出した音声特徴量にユーザの音声が含まれる時間区間における音声を取得する。また、受話音声受信部３０は、音声信号をフーリエ変換し、人間の声に特有の周波数帯域の音声が含まれているときに、その音声信号を取得することとしてもよい。このような、ユーザ発話音声が発生しているときのみ音声を取得する機能は、第２通信端末５の発話音声取得部５３が備えることとしてもよい。
【００４８】
受話音声情報送信部３１は、受話音声受信部３０により受信されたユーザ発話音声に関する情報であるユーザ発話音声情報を共有スペース提供サーバ１に送信する部分である。本実施形態では、ユーザ発話音声情報は、ユーザ発話音声の音声データである。
【００４９】
発話音声取得部３２は、第２通信端末５との音声通話のために、第１通信端末３のユーザにより発話された音声を取得する部分である。また、発話音声送信部３３は、発話音声取得部３２により取得された第１通信端末３のユーザの音声を第２通信端末５に送信する部分である。
【００５０】
共有スペース作成要求送信部３４は、共有スペースの開設を要求する旨の情報を含む共有スペース作成要求を共有スペース提供サーバ１に送信する部分である。なお、共有スペース作成要求には、第１通信端末３の識別子であるＩＰアドレスが含まれることとしてもよい。
【００５１】
共有スペースアクセス部３５は、共有スペースに対するアクセスを実施する部分である。共有スペースに対するアクセスには、アクセス対象の共有スペースの識別子、共有スペースに対する操作内容、及び第１通信端末３のＩＰアドレスが含まれている。
【００５２】
また、図６に示すように、第２通信端末５は、トークン発行要求部５０（トークン発行要求手段）、トークン受信部５１（トークン受信手段）、トークン表示部５２（トークン表示手段）、発話音声取得部５３（発話音声取得手段）、発話音声送信部５４（発話音声送信手段）、受話音声受信部５５、及び共有スペースアクセス部５６（共有スペースアクセス手段）を備える。
【００５３】
トークン発行要求部５０は、トークン発行要求を共有スペース提供サーバ１に送信する部分である。トークン発行要求は、第２通信端末５を識別する識別子であるＩＰアドレスを含む。なお、トークン発行要求の送信先である共有スペース提供サーバ１の所在を示す情報は、第２通信端末５が予め取得していることとしてもよいし、第１通信端末３からメール等の通信手段や、第１通信端末３のユーザからの音声通話により通知されることとしてもよい。
【００５４】
トークン受信部５１は、トークン発行要求に応じて共有スペース提供サーバ１から返信されたトークンを受信する部分である。
【００５５】
トークン表示部５２は、トークン受信部５１により受信されたトークンを第２通信端末５のユーザに提示するために、当該トークンの文字列を表示する部分である。
【００５６】
発話音声取得部５３は、トークン表示部５２にトークンの文字列が表示された後に、第２通信端末５のユーザにより発話された音声であるユーザ発話音声を取得する部分である。即ち、第２通信端末５のユーザは、トークン表示部５２に表示されたトークンの文字列を見た後に当該文字列の内容を発話して、その発話内容をユーザ発話音声として発話音声取得部５３に取得させる。発話音声取得部５３は、例えば、第２通信端末５のユーザにより第２通信端末５に対して所定の操作が行われたときに、発話音声の取得を行うこととしてもよい。
【００５７】
発話音声送信部５４は、発話音声取得部５３により取得されたユーザ発話音声を第１通信端末３に送信する部分である。
【００５８】
受話音声受信部５５は、第１通信端末３との音声通話のために、第１通信端末３から送信された第１通信端末３のユーザの発話音声を受信する部分である。
【００５９】
共有スペースアクセス部５６は、共有スペースに対するアクセスを実施する部分である。共有スペースに対するアクセスには、アクセス対象の共有スペースの識別子、共有スペースに対する操作内容、及び第２通信端末５のＩＰアドレスが含まれている。
【００６０】
続いて、図７を参照して、本実施形態の共有スペース管理方法における共有スペース管理システム１００の動作について説明する。図７は、共有スペース管理システム１００において実施される処理内容を示すフローチャートである。例えば、第１通信端末３と第２通信端末５との間で音声通話が行われているときにおいて、共有スペースにより何らかのデータの共有を第１通信端末３及び第２通信端末５のユーザが所望する場合に、図７のフローチャートに示される処理が開始される。
【００６１】
まず、第２通信端末５のトークン発行要求部５０は、トークン発行要求を共有スペース提供サーバ１に送信する（Ｓ１）。トークン発行要求には、第２通信端末５を識別する識別子であるＩＰアドレスが含まれている。
【００６２】
次に、共有スペース提供サーバ１のトークン発行要求受付部１０は、トークン発行要求部５０からのトークン発行要求を受け付ける（Ｓ２）。続いて、トークン発行部１１は、トークン発行要求受付部１０により受け付けられたトークン発行要求に応じてトークンを生成する（Ｓ３）。さらに、トークン発行部１１は、生成したトークンを第２通信端末５のＩＰアドレス及び当該トークンを生成した時刻に対応付けて発行トークン記憶部１２（図４参照）に記憶させる（Ｓ４）。そして、トークン送信部１３は、トークン発行部１１により生成されたトークンを第２通信端末５に送信する（Ｓ５）。
【００６３】
次に、第２通信端末５のトークン受信部５１は、トークン発行要求に応じて共有スペース提供サーバ１から返信されたトークンを受信する（Ｓ６）。続いて、トークン表示部５２は、トークン受信部５１により受信されたトークンを第２通信端末５のユーザに提示するために、例えばディスプレイといった装置に当該トークンの文字列を表示する（Ｓ７）。
【００６４】
トークン表示部５２に表示されたトークンの文字列の内容が第２通信端末５のユーザにより発話されると、第２通信端末５の発話音声取得部５３は、第２通信端末５の当該ユーザの発話音声であるユーザ発話音声を取得する（Ｓ８）。そして、発話音声送信部５４は、発話音声取得部５３により取得されたユーザ発話音声を第１通信端末３に送信する（Ｓ９）。
【００６５】
次に、第１通信端末３の受話音声受信部３０は、第２通信端末５から送信されたユーザ発話音声を受信する（Ｓ１０）。続いて、受話音声情報送信部３１は、受話音声受信部３０により受信されたユーザ発話音声を共有スペース提供サーバ１に送信する（Ｓ１１）。
【００６６】
次に、共有スペース提供サーバ１の受話音声情報取得部１４は、第１通信端末３から送信されたユーザ発話音声を取得する（Ｓ１２）。続いて、音声認識部１５は、受話音声情報取得部１４により取得されたユーザ発話音声を、音声認識処理によりテキスト情報に変換する（Ｓ１３）。そして、トークン抽出部１６は、音声認識部１５により得られたテキスト情報から、トークンに該当する部分のテキスト情報を抽出する（Ｓ１４）。
【００６７】
次に、共有スペース提供サーバ１のトークン判定部１７は、トークン抽出部１６により抽出されたトークンの認証処理を行う（Ｓ１５）。具体的には、トークン判定部１７は、トークン抽出部１６により抽出されたトークンの文字列が、発行トークン記憶部１２に記憶されているトークンと一致し、当該トークンの発行時刻から経過した時間が一定時間内（例えば１０秒程度）である場合に、第２通信端末５に対して、共有スペースに対するアクセス権の設定を許可する。これにより、共有スペース提供サーバ１は、第１通信端末３と第２通信端末５とが互いに音声通信を行っていることを認識できる。
【００６８】
認証が成功した場合、即ち第２通信端末５に対してアクセス権の設定が許可された場合には（Ｓ１６）、処理手順はステップＳ１８に進められ、第２通信端末５に対してアクセス権の設定が許可されなかった場合には（Ｓ１６）、処理手順はステップＳ１７に進められる。
【００６９】
ステップＳ１７では、エラー処理が行われる。具体的には、例えば、共有スペース提供サーバ１は、第１通信端末３及び第２通信端末５にエラーが発生した旨のエラー情報を表示させる。
【００７０】
ステップＳ１８では、共有スペース作成処理が行われる。続いて、図８を参照して共有スペース作成処理を具体的に説明する。図８は、共有スペース作成処理を詳細に示すフローチャートである。
【００７１】
共有スペース作成処理（Ｓ１８）では、まず、共有スペース提供サーバ１の共有スペース作成部２１は、共有スペース記憶部２９に共有スペースを作成する（Ｓ２１）。続いて、アクセス権設定部１８は、第１通信端末３及び第２通信端末５に対してアクセス権を設定する（Ｓ２２）。具体的には、アクセス権設定部１８は、第１通信端末３のＩＰアドレス及び第２通信端末５のＩＰアドレスを、作成した共有スペースの識別子に対応付けて共有スペース情報記憶部１９（図５参照）に登録する。そして、アクセス権設定部１８は、共有スペースの作成及びアクセス権の設定が完了した旨を、第１通信端末３及び第２通信端末５に通知する（Ｓ２３）。
【００７２】
なお、本実施形態では、第２通信端末５に対する認証処理が完了した後に共有スペースが作成され、第１通信端末３のＩＰアドレスが共有スペース情報記憶部１９に登録されることとしているが、これには限られない。例えば、ステップＳ１に示される処理手順に先立って、第１通信端末３の共有スペース作成要求送信部３４から、共有スペース提供サーバ１の共有スペース作成要求受付部２０に共有スペース作成要求が送信され、送信された共有スペース作成要求に応じて、共有スペース作成部２１が共有スペース記憶部２９に共有スペースを作成すると共に第１通信端末３のＩＰアドレスを共有スペース情報記憶部１９に登録することとしてもよい。
【００７３】
次に、第１通信端末３又は第２通信端末５から共有スペースに対するアクセスが行われたときにおける共有スペース提供サーバ１の処理内容を説明する。図９は、共有スペース提供サーバ１の処理内容を示すフローチャートである。
【００７４】
まず、共有スペース制御部２８は、第１通信端末３又は第２通信端末５からの共有スペースに対するアクセスを受け付ける（Ｓ３１）。共有スペースに対するアクセスには、アクセス対象の共有スペースの識別子、共有スペースに対する操作内容、及び送信元の通信端末のＩＰアドレスが含まれている。共有スペースに対する操作内容は、例えば、共有スペースへのデータのライト、及び共有スペースに記憶されているデータのリードといったものである。
【００７５】
次に、共有スペース制御部２８は、共有スペース情報記憶部１９を参照し、当該アクセスに含まれる共有スペースの識別子に、当該通信端末のＩＰアドレスが許可ＩＰアドレスとして対応付けられているか否かを判定する（Ｓ３２）。これにより、共有スペースに対するアクセスを当該通信端末に許可するか否かが判定される。アクセスが許可されなかった場合には、処理手順はステップＳ３３に進められる。ステップＳ３３では、例えば、当該通信端末にエラーが発生した旨のエラー情報を表示させるといったエラー処理が行われる。
【００７６】
アクセスが許可された場合には、処理手順はステップＳ３４に進められる。ステップＳ３４では、共有スペース制御部２８は、当該アクセスに含まれる共有スペースの識別子により共有スペースを特定し（Ｓ３４）、特定された共有スペースに対して、受け付けたアクセスに応じた操作内容を実施する（Ｓ３５）。これにより、当該共有スペースにアクセス可能な通信端末は、共有スペース情報記憶部１９において、当該共有スペースの識別子にＩＰアドレスが許可ＩＰアドレスとして対応付けられている通信端末に限定される。
【００７７】
以上説明した第１実施形態の共有スペース管理システム１００では、共有スペース提供サーバ１により生成された、認証処理に用いるためのトークンは、第２通信端末５に送信され、第２通信端末５のユーザに対して表示される。第２通信端末５のユーザにより発話されたトークンの文字列がユーザ発話音声として第２通信端末５に取得されると、ユーザ発話音声は、第１通信端末３を経由して共有スペース提供サーバ１に取得される。共有スペース提供サーバ１では、発行したトークンが、発行要求の送信元である第２通信端末５の識別子と対応付けられて記憶されているので、ユーザ発話音声から抽出した文字列が、記憶されたトークンと一致するか否かを判定することにより、当該トークンに対応付けられた識別子に示される第２通信端末５に、共有スペースに対するアクセス権を設定することが可能となる。従って、かかる認証処理により、共有スペースに対するアクセスを第１通信端末３と音声通話中の第２通信端末５に限定することができる。また、第２通信端末５のユーザは、手を使った操作ではなく、第１通信端末３との通話状態を維持したままの発話動作により認証処理のための操作を完了させることができる。従って、ユーザの操作負担が軽減される。
【００７８】
また、本実施形態では、ユーザ発話音声からテキスト情報への変換処理が共有スペース提供サーバ１により行われるので、第１通信端末３は特段の音声認識機能を有する必要がない。従って、第１通信端末３の処理負荷が軽減される。
【００７９】
（第２実施形態）
次に、第２実施形態に係る共有スペース管理システム１００について説明する。第２実施形態では、共有スペース提供サーバ１及び第１通信端末３の構成が第１実施形態と異なる。第１実施形態では、ユーザ発話音声からテキスト情報への変換処理が、共有スペース提供サーバ１により行われるのに対して、第２実施形態では、ユーザ発話音声からテキスト情報への変換処理は、第１通信端末３Ａにより行われる。
【００８０】
図１０は、第２実施形態における共有スペース提供サーバ１Ａの機能的構成を示すブロック図である。図１０に示すように、共有スペース提供サーバ１Ａは、第１実施形態の共有スペース提供サーバ１において備えられていた音声認識部１５を備えていない。図１１は、第２実施形態における第１通信端末３Ａの機能的構成を示すブロック図である。図１１に示すように、第１通信端末３Ａは、第１実施形態の第１通信端末３が備えていた各機能部３０〜３５に加えて、音声認識部３６を備える。
【００８１】
第１通信端末３Ａの受話音声受信部３０は、第２通信端末５から送信されたユーザ発話音声を受信し、受信したユーザ発話音声を音声認識部３６に送出する。
【００８２】
第１通信端末３Ａの音声認識部３６は、受話音声受信部３０から送出されたユーザ発話音声を、音声認識処理によりテキスト情報に変換する部分である。ここで用いられる音声認識処理には、既存の音声認識技術を採用することができる。音声認識部３６は、ユーザ発話音声に基づいて得られたテキスト情報を受話音声情報送信部３１に送出する。
【００８３】
第１通信端末３Ａの受話音声情報送信部３１は、音声認識部３６から送出されたテキスト情報を、ユーザ発話音声に関する情報であるユーザ発話音声情報として、共有スペース提供サーバ１Ａに送信する。即ち、第２実施形態では、ユーザ発話音声情報は、ユーザ発話音声のテキスト情報である。
【００８４】
なお、受話音声情報送信部３１に与えられるテキスト情報は、音声認識部３６により変換処理されたものに代えて、受話音声受信部３０により受信されたユーザ発話音声を聴いた第１通信端末３Ａのユーザの入力操作により得られたものとすることができる。
【００８５】
共有スペース提供サーバ１Ａの受話音声情報取得部１４は、第１通信端末３Ａから送信されたユーザ発話音声情報を取得し、取得したユーザ発話音声情報をトークン抽出部１６に送出する。
【００８６】
共有スペース提供サーバ１Ａのトークン抽出部１６は、受話音声情報取得部１４から送出されたユーザ発話音声情報から、トークンに該当する部分のテキスト情報を抽出する。
【００８７】
続いて、図１２を参照して、第２実施形態における共有スペース管理システム１００の動作について説明する。図１２は、共有スペース管理システム１００において実施される処理内容を示すフローチャートである。
【００８８】
ステップＳ４１〜Ｓ５０の処理内容は、図７のフローチャートにおけるステップＳ１〜Ｓ１０の処理内容と同様である。続くステップＳ５１において、第１通信端末３Ａの音声認識部３６は、受話音声受信部３０から送出されたユーザ発話音声を、音声認識処理によりテキスト情報に変換する（Ｓ５１）。そして、第１通信端末３Ａの受話音声情報送信部３１は、音声認識部３６における変換処理により得られたテキスト情報を、ユーザ発話音声情報として、共有スペース提供サーバ１Ａに送信する（Ｓ５２）。
【００８９】
次に、共有スペース提供サーバ１Ａの受話音声情報取得部１４は、第１通信端末３Ａから送信されたユーザ発話音声情報を受信し（Ｓ５３）、取得したユーザ発話音声情報をトークン抽出部１６に送出する。続いて、共有スペース提供サーバ１Ａのトークン抽出部１６は、ユーザ発話音声情報から、トークンに該当する部分のテキスト情報（文字列）を抽出する（Ｓ５４）。続くステップＳ５５〜Ｓ５８の処理内容は、図７のフローチャートにおけるステップＳ１５〜Ｓ１８の処理内容と同様である。
【００９０】
以上説明した第２実施形態の共有スペース管理システム１００では、第１通信端末３Ａにおいてユーザ発話音声がテキスト情報に変換され、変換されたテキスト情報が共有スペース提供サーバ１Ａに送信されるので、第１通信端末３Ａと共有スペース提供サーバ１Ａとの間の通信負荷が軽減される。
【００９１】
（第３実施形態）
次に、第３実施形態に係る共有スペース管理システム１００について説明する。第３実施形態では、第１通信端末３及び第２通信端末５の構成が第１及び第２実施形態と異なる。図１３は、第３実施形態における第１通信端末３Ｂ及び第２通信端末５Ｂの機能的構成を示すブロック図である。第３実施形態における第１通信端末３Ｂは、第１音声通話端末３ａと、第１情報端末３ｂとから構成される。また、第３実施形態における第２通信端末５Ｂは、第２音声通話端末５ａと、第２情報端末５ｂとから構成される。
【００９２】
第１通信端末３Ｂの第１音声通話端末３ａは、第１実施形態の第１通信端末３が備えていた各機能部３０，３２〜３３に加えて、通話端末音声送信部３８を備える。また、第１通信端末３Ｂの第１情報端末３ｂは、第１実施形態の第１通信端末３が備えていた各機能部３１，３４〜３５に加えて、通話端末音声受信部３９を備える。
【００９３】
第１音声通話端末３ａの受話音声受信部３０は、第２通信端末５から送信されたユーザ発話音声を受信し、通話端末音声送信部３８に送出する。そして、通話端末音声送信部３８は、ユーザ発話音声を第１情報端末３ｂに送信する。
【００９４】
第１情報端末３ｂの通話端末音声受信部３９は、第１音声通話端末３ａの通話端末音声送信部３８から送信されたユーザ発話音声を受信する。そして、通話端末音声受信部３９は、受話音声情報送信部３１にユーザ発話音声を送出する。
【００９５】
なお、通話端末音声送信部３８と通話端末音声受信部３９との間の通信手段は、例えば、ＵＳＢ（Universal  Serial  Bus）規格、ＩＥＥＥ１３９４規格等に準拠したケーブルによる有線通信であってもよいし、赤外線通信、Ｂｌｕｅｔｏｏｔｈ（登録商標）通信及び無線ＬＡＮ通信といった無線通信であってもよい。
【００９６】
なお、第１情報端末３ｂには、第２実施形態における第１通信端末３Ａと同様に音声認識部３６が備えられることとしてもよい。その場合には、音声認識部３６は、通話端末音声受信部３９により受信されたユーザ発話音声を音声認識処理によりテキスト情報に変換し、得られたテキスト情報を受話音声情報送信部３１に送出する。従って、受話音声情報送信部３１により共有スペース提供サーバ１に送信されるユーザ発話音声情報は、ユーザ発話音声のテキスト情報である。
【００９７】
第２通信端末５Ｂの第２音声通話端末５ａは、第１実施形態の第２通信端末５が備えていた各機能部５３〜５５を備える。また、第２通信端末５Ｂの第２情報端末５ｂは、第１実施形態の第２通信端末５が備えていた各機能部５０〜５２，５６を備える。
【００９８】
以上説明した第３実施形態における第１通信端末３Ｂ及び第２通信端末５Ｂでは、通常の携帯電話に例示されるような、一般的な音声通話機能と簡易なデータ通信機能を備えた第１音声通話端末３ａと、通常のパーソナルコンピュータに例示されるような、ネットワークを介した通信機能を備えた第１情報端末３ｂとにより第１通信端末３Ｂを構成することができる。また、通常の携帯電話に例示されるような、一般的な音声通話機能を備えた第２音声通話端末５ａと、通常のパーソナルコンピュータに例示されるような、ネットワークを介した通信機能を備えた第２情報端末５ｂとにより第２通信端末５Ｂを構成することができる。従って、本システムを容易に構成することが可能となる。
【００９９】
（第４実施形態）
次に、第４実施形態に係る共有スペース管理システム１００について説明する。図１４は、第４実施形態における共有スペース提供サーバ１Ｃの機能的構成を示すブロック図である。第４実施形態における共有スペース提供サーバ１Ｃは、第１実施形態における共有スペース提供サーバ１が備えていた各機能部１０〜２１，２８，２９に加えて、宛先情報送信部２２を備える。
【０１００】
また、図１５は、第４実施形態における第１通信端末３Ｃ及び第２通信端末５Ｃの機能的構成を示すブロック図である。第４実施形態における第１通信端末３Ｃは、第１実施形態における第１通信端末３が備えていた各機能部３０〜３５に加えて、宛先情報転送部４０を備える。さらに、第４実施形態における第２通信端末５Ｃは、第１実施形態における第２通信端末５が備えていた各機能部５０〜５６に加えて、宛先情報受信部５７を備える。以下に第４実施形態における各機能部の動作について説明する。
【０１０１】
第１通信端末３Ｃの共有スペース作成要求送信部３４から共有スペース提供サーバ１Ｃの共有スペース作成要求受付部２０に共有スペース作成要求が送信されると、共有スペース提供サーバ１Ｃの共有スペース作成部２１は、共有スペース作成要求に応じて、共有スペース記憶部２９に共有スペースを作成する。
【０１０２】
また、共有スペース提供サーバ１Ｃの宛先情報送信部２２は、共有スペース作成要求に応じて、第２通信端末５Ｃからのトークン発行要求の送信先のネットワーク上の場所を示す情報である宛先情報を生成すると共に、生成した該宛先情報を第１通信端末３Ｃに送信する。図１６は、生成された宛先情報の例を示す図である。図１６に示す例では、共有スペースＩＤ「７３６６」により識別される共有スペースに対するアクセス権の設定を受けるための、トークン発行要求の宛先情報として、「ｈｔｔｐ：／／ｗｗｗ．ｘｘｘ．ｊｐ」が生成されている。図１６において例示されている宛先情報は、ＵＲＬ情報である。宛先情報送信部２２は、図１６に示される共有スペースＩＤと宛先情報との対応付けに関する情報を、共有スペース情報記憶部１９に記憶させる。
【０１０３】
第１通信端末３Ｃの宛先情報転送部４０は、宛先情報送信部２２から送信された宛先情報を受信すると共に、第２通信端末５Ｃに送信する。第２通信端末５Ｃの宛先情報受信部５７は、宛先情報転送部４０から送信された宛先情報を受信し、受信した宛先情報をトークン発行要求部５０に送出する。
【０１０４】
第２通信端末５Ｃのトークン発行要求部５０は、宛先情報に示されるネットワーク上の場所にアクセスしてトークン発行要求を発行する。または、トークン発行要求部５０は、宛先情報に示されるネットワーク上の場所にトークン発行要求を送信する。
【０１０５】
ここで、宛先情報は、例えばＵＲＬ情報である。この場合には、第２通信端末５Ｃのトークン発行要求部５０は、宛先情報に示されるＵＲＬにアクセスし、当該ＵＲＬにより識別されるサイト上からトークン発行要求を発行・送信する。当該サイトには、トークン発行要求を発行するためのプログラムが予め備えられている。なお、このサイトは、共有スペース提供サーバ１Ｃにより開設されているものであってもよいし、ネットワークＮ１上の他のサーバにより開設されているものであってもよい。
【０１０６】
宛先情報に示される宛先に対してトークン発行要求が送信されたことにより、トークン発行要求受付部１０に対してトークンの発行要求が受け付けられたこととなる。そして、トークン発行部１１は、受け付けられたトークン発行要求に応じてトークンを生成する。
【０１０７】
また、宛先情報は、共有スペース提供サーバ１Ｃの所在を示すＩＰアドレス、メールアドレスといった情報でもよい。この場合には、第２通信端末５Ｃのトークン発行要求部５０は、宛先情報に示されるＩＰアドレス等を宛先として、トークン発行要求を送信する。
【０１０８】
第２通信端末５Ｃからトークン発行要求が送信されると、第１実施形態と同様に、共有スペース提供サーバ１Ｃのトークン発行要求受付部１０は、トークン発行要求を受信する。続いて、トークン発行部１１は、トークン発行要求受付部１０により受け付けられたトークン発行要求に応じてトークンを生成すると共に、生成したトークンを第２通信端末５の識別子に対応付けて発行トークン記憶部１２（図４参照）に記憶させる。
【０１０９】
そして、トークン判定部１７は、音声認識部１５により変換されたテキスト情報に含まれトークンに該当する文字列が発行トークン記憶部１２に記憶されているトークンと一致する場合に、当該トークンに対応付けられて記憶されている発行先ＩＰアドレスに識別される通信端末に対して、共有スペースのアクセス権の設定を許可する。
【０１１０】
アクセス権設定部１８は、トークン判定部１７によりアクセス権の設定が許可された通信端末のＩＰアドレス（発行トークン記憶部１２における発行先ＩＰアドレス）を共有スペースＩＤに対応付けて共有スペース情報記憶部１９（図５参照）に登録する。
【０１１１】
共有スペース制御部２８は、共有スペース情報記憶部１９において共有スペースＩＤに対応付けられているＩＰアドレスを有する通信端末にのみ当該共有スペースに対するアクセスを許可する。従って、当該共有スペースにアクセス可能な通信端末は、発行トークン記憶部１２において、受話音声情報取得部１４を介して取得されたトークンに対応付けられている発行先ＩＰアドレスを有する通信端末に限定される。これにより、第１通信端末３Ｃと音声通話中の第２通信端末５Ｃ以外の他の通信端末が、宛先情報送信部２２により生成されたＵＲＬ（宛先情報）にアクセスし、他の通信端末にトークンが発行された場合であっても、他の通信端末は、共有スペースに対するアクセスの許可を得ることができない。
【０１１２】
以上説明した第４実施形態では、第１通信端末３Ｃからの共有スペース作成要求に応じて、共有スペース提供サーバ１Ｃにより共有スペースが作成されると共に、トークン発行要求の送信先のネットワーク上の場所を示す情報である宛先情報が共有スペース提供サーバ１Ｃにより生成され、生成された宛先情報が第１通信端末３Ｃを介して第２通信端末５Ｃに送信されるので、第２通信端末５Ｃは確実にトークン発行要求を送信することができる。
【０１１３】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【０１１４】
１，１Ａ，１Ｃ…共有スペース提供サーバ、３，３Ａ，３Ｂ，３Ｃ…第１通信端末、３ａ…第１音声通話端末、３ｂ…第１情報端末、５，５Ｂ，５Ｃ…第２通信端末、５ａ…第２音声通話端末、５ｂ…第２情報端末、１０…トークン発行要求受付部、１１…トークン発行部、１２…発行トークン記憶部、１３…トークン送信部、１４…受話音声情報取得部、１５…音声認識部、１６…トークン抽出部、１７…トークン判定部、１８…アクセス権設定部、１９…共有スペース情報記憶部、２０…共有スペース作成要求受付部、２１…共有スペース作成部、２２…宛先情報送信部、２８…共有スペース制御部、２９…共有スペース記憶部、３０…受話音声受信部、３１…受話音声情報送信部、３２…発話音声取得部、３３…発話音声送信部、３４…共有スペース作成要求送信部、３５…共有スペースアクセス部、３６…音声認識部、３８…通話端末音声送信部、３９…通話端末音声受信部、４０…宛先情報転送部、５０…トークン発行要求部、５１…トークン受信部、５２…トークン表示部、５３…発話音声取得部、５４…発話音声送信部、５５…受話音声受信部、５６…共有スペースアクセス部、５７…宛先情報受信部、Ｎ１…ネットワーク、Ｎ２…音声通信網。
【図１】
2011090572.tif 000003
【図２】
2011090572.tif 000004
【図３】
2011090572.tif 000005
【図４】
2011090572.tif 000006
【図５】
2011090572.tif 000007
【図６】
2011090572.tif 000008
【図７】
2011090572.tif 000009
【図８】
2011090572.tif 000010
【図９】
2011090572.tif 000011
【図１０】
2011090572.tif 000012
【図１１】
2011090572.tif 000013
【図１２】
2011090572.tif 000014
【図１３】
2011090572.tif 000015
【図１４】
2011090572.tif 000016
【図１５】
2011090572.tif 000017
【図１６】
2011090572.tif 000018